(57)【要約】【課題】物干竿の位置が低い場合でも、バスタオルやシーツなどの長尺洗濯物の先端部分がベランダ床などに着いて汚れたりすることを防止でき、しかも洗濯物を乾かしやすい洗濯ばさみが求められている。【解決手段】洗濯ばさみ１は、左右一対の挟持部材２，２の上下中央部の重合部分３ａ，４ｂ，３ｂ，４ａを枢支部５として一対の挟持部材２，２を回動可能に構成し、両挟持部材２，２の間に設けた弾性部材１１，１１によって両挟持部材２，２の上部を外方へ付勢して摘み操作部８，８とし、かつ、両挟持部材２，２の下部を内方へ付勢して挟持部６，６，６，６を形成し、挟持部６，６，６，６の挟持面７，７，７，７は洗濯物における物干竿被い部分を挟持可能に形成され、挟持部６，６，６，６の外側面に外方へ延びる腕部１３，１３が設けられ、腕部１３，１３にピンチ吊持ち用の吊持ち部１２，１２が設けられている。【選択図】      図１
2004267658.tif 000002
【特許請求の範囲】
【請求項１】
対向して設けた左右一対の挟持部材の上下中央部の一部を重合し、この重合部分を枢支部として前記一対の挟持部材を回動可能に構成するとともに、両挟持部材の間に設けた弾性部材によって両挟持部材の上部を外方へ付勢して摘み操作部とし、かつ、両挟持部材の下部を内方へ付勢して挟持部を形成してなる洗濯ばさみであって、挟持部は物干竿に被せられた洗濯物における物干竿被い部分を挟持可能に形成され、挟持部の外側面に外方へ延びる腕部が設けられ、腕部にピンチ吊持ち用の吊持ち部が設けられていることを特徴とする洗濯ばさみ。
【請求項２】
一つの腕部に複数の吊持ち部が設けられている請求項１に記載の洗濯ばさみ。
【発明の詳細な説明】
【０００１】
【発明の属する技術分野】
本発明は、物干竿に被せられたバスタオルやシーツなどの長尺洗濯物をその上方から挟持して物干竿に固定する洗濯ばさみに関する。
【０００２】
【従来の技術】
近年、マンションなどの高層建築においては、美感上または飛散防止上の理由で、洗濯物をベランダよりも低い位置に干すことを義務付けていることが多い。それに伴って、物干竿は低い位置に配置されている。このように物干竿を低く配置すると、洗濯物を掛けるときや取り込むときの作業が楽になるという利点がある反面、バスタオルやシーツなど長尺の洗濯物は、物干竿に被せられたときに垂れ下がった先端部分がベランダ床などに着いて汚れるという問題がある。
【０００３】
そこで、下記の特許文献１に示したような洗濯ばさみが提案されている。かかる文献開示の洗濯ばさみは、対向して設けた左右一対の挟持部材の上下中央部の一部を重合し、この重合部分を枢支部として一対の挟持部材を回動可能に構成するとともに、両挟持部材の間に設けた弾性部材によって両挟持部材の上部を外方へ付勢して摘み操作部とし、かつ、両挟持部材の下部を内方へ付勢して挟持部を形成し、、挟持部は物干竿に被せられた洗濯物における物干竿被い部分を挟持可能に形成され、挟持部の外側面にピンチを掛脱可能に吊持ちするための小さな係止部が設けられている。
【０００４】
この洗濯ばさみを使用する際には、索条付きのピンチが挟持部の係止部に掛止される。そうして、物干竿に洗濯物をふたつ折りにして被せる。次に、洗濯ばさみの挟持部を洗濯物の物干竿被い部分に上方から装着して挟み付け、洗濯物を物干竿に固定する。そして、洗濯物の両方の先端辺を持ち上げ、両側の挟持部に取り付けられたピンチでそれぞれを挟持させる。これにより、洗濯物の物干竿被い部分から垂下端までの上下長が短くなり、洗濯物をベランダ床などに着けないように工夫されている。
【０００５】
【特許文献１】
特開２０００−１３５３９９号公報（段落番号００１１、図１、図３）
【０００６】
【発明が解決しようとする課題】
ところで、前記文献開示の洗濯ばさみは、特許文献１の図３に示されているように、挟持部のほぼ真下にピンチが配置されるため、ピンチで挟持された洗濯物の先端辺と洗濯物の物干竿から垂れ下がった部分との間（左右方向）に十分な空間を採ることができない。そこで、比較的長い索条付きのピンチを用いることにより、洗濯物の物干竿から垂れ下がった部分を大きく露出させて乾きやすくするようにしていた。その結果、洗濯物の物干竿被い部分から垂下端までの上下長が長くなり、一定高さ以上の物干竿でなければ使用できなかった。すなわち、洗濯物の垂下端までの上下長を短くすることと、洗濯物を乾きやすくすることの両立ができなかったのである。
【０００７】
本発明は、上記した従来の問題点に鑑みてなされたものであって、物干竿の位置が低い場合でも、バスタオルやシーツなどの長尺洗濯物の先端部分がベランダ床などに着いて汚れたりすることを防止でき、しかも洗濯物を乾かしやすい洗濯ばさみの提供を目的とするものである。
【０００８】
【課題を解決するための手段】
上記目的を達成するために、本発明に係る洗濯ばさみは、対向して設けた左右一対の挟持部材の上下中央部の一部を重合し、この重合部分を枢支部として前記一対の挟持部材を回動可能に構成するとともに、両挟持部材の間に設けた弾性部材によって両挟持部材の上部を外方へ付勢して摘み操作部とし、かつ、両挟持部材の下部を内方へ付勢して挟持部を形成してなる洗濯ばさみであって、挟持部は物干竿に被せられた洗濯物における物干竿被い部分を挟持可能に形成され、挟持部の外側面に外方へ延びる腕部が設けられ、腕部にピンチ吊持ち用の吊持ち部が設けられている構成にしてある。
【０００９】
また、前記構成において、一つの腕部に複数の吊持ち部が設けられているものである。
【００１０】
【発明の実施の形態】
本発明の実施の形態を図面に基づいて説明する。尚、以下に述べる実施形態は本発明を具体化した一形態に過ぎず、本発明の技術的範囲を限定するものでない。ここに、図１は本発明の一実施形態に係る洗濯ばさみを示す斜視図、図２は前記洗濯ばさみの正面図、図３は前記洗濯ばさみの平面図、図４は前記洗濯ばさみを構成する挟持部材のひとつを示す平面図である。
各図において、この実施形態に係る洗濯ばさみ１は、対向して設けた左右一対の挟持部材２，２を用いて構成される。挟持部材２，２は互いに同一の部品であり、例えば合成樹脂を原材料として金型成型により製造される。それぞれの挟持部材２はその上部が指で操作するための摘み操作部８として形成され、下部が洗濯物などを挟むための挟持部６として形成されている。
挟持部６，６は前後二股状に分かれて形成されている。挟持部６の内面は、物干竿２０（図５参照）に被せられた長尺洗濯物２１における物干竿被い部分２７を挟持可能な曲率径で、かつ、内向きに湾曲した形状の挟持面７として形成されている。また、挟持部６の上方外側面には２つの掛止穴１０，１０が形成されている。摘み操作部８には上下に沿う２筋の長孔９，９が貫通して形成されている。
【００１１】
挟持部材２内面の上下ほぼ中央部分には、２条の枢支用凸部３ａ，３ｂが内向きに突出して形成され、枢支用凸部３ａ，３ｂ間に枢支用凹部４ａが外向きに陥入して形成され、枢支用凸部３ｂ側方にも枢支用凹部４ｂが外向きに陥入して形成されている。一対の挟持部材２，２は互いに内向きに対向して配置され、一方の挟持部材２の枢支用凸部３ａが他方の挟持部材２の枢支用凹部４ｂ内に装入されて重ね合わせられ、一方の枢支用凸部３ｂが他方の枢支用凹部４ａ内に装入されて重ね合わせられる。これらの枢支用凸部３ａと枢支用凹部４ｂ、および、枢支用凸部３ｂと枢支用凹部４ａの重ね合わせ部分により、一対の挟持部材２，２を回動可能に枢支する枢支部５が構成される。枢支部５の下方には洗濯ロープを挟持するためのロープ用挟持面１４が形成されている。
【００１２】
上記のように一対の挟持部材２，２を組み合わせた状態で、挟持部材２，２のそれぞれの長孔９，９を通された略Ｃ字形のバネ鋼線から成る弾性部材１１の両端が、挟持部材２，２のそれぞれの掛止穴１０，１０に掛止される。これにより、弾性部材１１が摘み操作部８，８を外方へ付勢し、かつ、挟持部６，６，６，６を内方へ付勢する。
一方、挟持部６，６の外側面には、外方へ翼状に延びる腕部１３が挟持部６，６から突出して形成されている。腕部１３の先端近傍位置には、ピンチ３０（図５参照）を吊持ちするための丸孔が吊持ち部１２として上下貫通で形成されている。左右の吊持ち部１２，１２間の横（左右）方向の寸法Ｌは特に限定されないが、この例では約１３ｃｍとする。
【００１３】
そして、吊持ち部１２に吊り持ちされるピンチ３０は、図５に示すように、一般的な基本構造を有している。すなわち、ピンチ３０では、対向して設けた左右一対の挟持部材３７，３７の上下中央部の一部を重合した枢支部３２を支点として、一対の挟持部材３７，３７が回動可能に構成されている。そして、両挟持部材３７，３７の間に架け渡された弾性部材３５により、両挟持部材３７，３７はその上部が外方へ付勢される摘み操作部３３，３３となり、下部が内方へ付勢される挟持部３４，３４となっている。各挟持部３４の先端内面には、洗濯物をソフトに、かつ、確実に挟持するゴムパッド３６がそれぞれ装着されている。
【００１４】
上記した構成の洗濯ばさみ１を使用するにあたっては、両翼の吊持ち部１２，１２（丸孔）に、ピンチ３０がそれぞれ吊持ちされる。ピンチ３０は、掛止時に広げ得るスリットを有する合成樹脂製のチェーン３１を介して吊持ち部１２に取付けられる。
そこで、マンションのベランダなどに横架された物干竿２０に、洗い終えたバスタオルなどの長尺洗濯物２１をふたつ折りにして被せる。そして、洗濯ばさみ１の摘み操作部８，８を手で摘んで挟持部６，６，６，６を広げ、長尺洗濯物２１の物干竿被い部分２７に上方から装着して挟持面７，７，７，７で挟み付け、長尺洗濯物２１を物干竿２０に固定する。
【００１５】
次に、各腕部１３の先端に取り付けられた各ピンチ３０の挟持部３４，３４で長尺洗濯物２１の両方の先端辺２４をそれぞれ挟持させる。すると、長尺洗濯物２１は正面から見て略Ｗ字形の姿勢で保持される。すなわち、長尺洗濯物２１は物干竿被い部分２７から垂下端２２までの上下長を短くして干される。これにより、長尺洗濯物２１がベランダ床などに着くことを防止でき、せっかく洗った長尺洗濯物２１を汚さずに済む。
また、挟持部６からピンチ３０の間は比較的距離があるので、その間に広い空間部２３，２３が形成される。これにより、毛布やバスタオルのように厚手で乾きにくい長尺洗濯物２１であっても、迅速に乾燥させることができる。
他方で、洗濯ばさみ１はひとつの挟持部材２に前後二股状の挟持部６，６を有しているため、１本の物干竿２０に複数の長尺洗濯物２１，２１，・・・を連ねて干す場合に好適である。例えば、二股の一方（例えば前側）の挟持部６で或る洗濯物２１の後端を挟持し、同時に、二股の他方（例えば後側）の挟持部６で後続の洗濯物２１の前端を挟持するといった使い方が可能となる。
【００１６】
次に、別の実施形態に係る洗濯ばさみを図６および図７に示す。各図に示した洗濯ばさみ１Ａは、上述した洗濯ばさみ１と基本的構成が同じであるが、腕部１３よりも長い腕部１３Ａが挟持部６，６に設けられている点と、一つの腕部１３Ａに２つの吊持ち部１２，１５（いずれも丸孔）が横（左右）方向に適宜間隔で設けられている点で、洗濯ばさみ１と異なっている。この場合、吊持ち部１５，１５間の横方向の寸法ＬＡは特に限定されないが、この例では約２５ｃｍとする。また、吊持ち部１２，１２間の横方向寸法Ｌは既述した洗濯ばさみ１の場合と同じとする。
洗濯ばさみ１Ａでは、図７のように、両翼先端の吊持ち部１５，１５にピンチ３０Ａ，３０Ａがチェーン３１を介してそれぞれ取り付けられ、両翼途中の吊持ち部１２，１２にピンチ３０，３０がチェーン３１を介してそれぞれ取り付けられる。ピンチ３０Ａはピンチ３０と比べて取付位置の違いを明確にするために異なる符号を付してあるが、構造はピンチ３０と同じである。
【００１７】
この洗濯ばさみ１Ａは種々の態様で使用し得るが、例えば、物干竿２０に被せられて挟持部６，６、６，６で固定された長尺洗濯物２１の両側の先端辺２４，２４をピンチ３０Ａ，３０Ａでそれぞれ挟持して用いる。このように、外側のピンチ３０Ａ，３０Ａで長尺洗濯物２１の先端辺２４，２４を吊持つと、洗濯ばさみ１を用いた場合よりも広い空間部２３Ａ，２３Ａが形成される。加えて、物干竿２０の下方にも広い空間部２５が形成される。これらの相乗作用により、長尺洗濯物２１をよりいっそう早く乾燥させることができる。また、長尺洗濯物２１は横に広がっているので、物干竿被い部分２７から垂下端２２Ａまでの上下長は、洗濯ばさみ１を用いた場合よりも更に小さくなっている。従って、いっそう低い位置にある物干竿２０であっても使用することができる。
一方、前記のようにピンチ３０Ａ，３０Ａにより長尺洗濯物２１の先端辺２４，２４を吊り持った状態で、腕部１３Ａ途中のピンチ３０に別の洗濯物２６を挟持させて干すこともできる。このように使用することにより、洗濯物２６としてランジェリーや下着などを隠し干しすることが可能となる。無論、ピンチ３０，３０で先端辺２４，２４を吊り持ち、ピンチ３０Ａ，３０Ａで他の洗濯物を挟持させる使い方でも構わない。
【００１８】
尚、上記の実施形態では、腕部に設けられる吊持ち部として丸穴１２，１５を例示したが、本発明はそれに限定されるものでなく、例えばフック状突起などを腕部に設けてもよい。
また、吊持ち部とピンチとをつなぐ部材としては上述したチェーンに限らず、例えば紐、ワイヤ、面ファスナなどでも構わない。あるいは、つなぐ部材を省き、吊持ち部とピンチとを直につないでも構わない。
そして、一つの腕部に設けられる吊持ち部の数は特に限定されず、例えば３つ以上であっても構わない。
また、上記では、ピンチ挟持部先端にゴムパッドが装着されたピンチ３０，３０Ａを洗濯ばさみの吊持ち部に吊り持ちさせた例を示したが、それらに替え、ゴムパッドを持たない一般汎用のピンチを吊り持ちさせても問題なく使用できる。
【００１９】
【発明の効果】
以上詳述したように、本発明に係る洗濯ばさみによれば、挟持部から外方へ延びた腕部の吊持ち部にピンチが吊持ちされ、このピンチに長尺洗濯物の先端辺が挟持されるので、洗濯物の物干竿被い部分と垂下端までの上下長を小さくすることができ、低い位置の物干竿であっても洗濯物が地面やベランダ床に着くことがなく汚れない。また、洗濯物における物干竿被い部分とピンチに掛止された部分の間に広い空間が形成されるので、洗濯物を早く乾かすことができ、バスタオルや毛布といった厚手で長尺の洗濯物であっても実用的に問題なく干すことができる。
【００２０】
また、一つの腕部に複数の吊持ち部を設けた場合は、種々の態様で洗濯物を干すことができる。例えば、外側の吊持ち部に吊持ちされたピンチで洗濯物の先端辺を挟持すれば、いっそう広い空間部が形成されるために洗濯物をより早く乾燥させることができ、洗濯物の物干竿被い部分から垂下端までの上下長をいっそう小さくすることができる。また、腕部途中に吊持ちされたピンチで別の洗濯物を隠し干しするといったことも可能となる。
【図面の簡単な説明】
【図１】本発明の一実施形態に係る洗濯ばさみを示す斜視図である。
【図２】前記洗濯ばさみの正面図である。
【図３】前記洗濯ばさみの平面図である。
【図４】前記洗濯ばさみを構成する挟持部材のひとつを示す平面図である。
【図５】前記洗濯ばさみの使用状態を示す状態斜視図である。
【図６】本発明の別の実施形態に係る洗濯ばさみを示す平面図である。
【図７】前記別の洗濯ばさみの使用状態を示す状態正面図である。
【符号の説明】
１，１Ａ  洗濯ばさみ
２    挟持部材
３ａ，３ｂ  枢支用凸部
４ａ，４ｂ  枢支用凹部
５    枢支部
６    挟持部
７    挟持面
８    摘み操作部
１１  弾性部材
１２，１５  吊持ち部
１３，１３Ａ  腕部
２０  物干竿
２１  長尺洗濯物
２７  物干竿被い部分
３０，３０Ａ  ピンチ
３１  チェーン
【図１】
2004267658.tif 000003
【図２】
2004267658.tif 000004
【図３】
2004267658.tif 000005
【図４】
2004267658.tif 000006
【図５】
2004267658.tif 000007
【図６】
2004267658.tif 000008
【図７】
2004267658.tif 000009